(57)【要約】【課題】  ラミネート装置により少なくとも一方の面にフィルムシートが連続的に被覆された長尺状シートのカールを修正しながら下流の加工工程へ繰り出す搬送手段とそれを用いた情報通信体の製造方法を提供する。【解決手段】  ラミネート装置から繰り出される長尺状シートＳ１にダンサーローラ１５等のウエイトにより張力を掛け、前記ラミネート装置側と別駆動により稼動している下流側の加工工程へ搬送することにより解決される。【選択図】図５
2014015036.tif 000002
【特許請求の範囲】
【請求項１】
少なくとも一方の面にフィルムシートが連続的に被覆された長尺状シートの搬送手段であって、ラミネート装置から繰り出される長尺状シートにウエイトによる張力を掛けながら前記ラミネート装置側と別駆動により稼動している下流側の加工工程へ搬送することを特徴としたフィルムシートが被覆された長尺状シートの搬送手段。
【請求項２】
折り線或いは切り取り線を介して横方向に連接された単位シートが切り取り線を介して縦方向に連接された長尺シートを繰り出す繰り出し工程、繰り出された長尺シートの疑似接着予定面及び／又は完全接着予定面に任意のフィルムシートを被覆する被覆工程、任意のフィルムシートが被覆された長尺状シートを折り畳む折り畳み工程、折り畳まれた長尺状シートを単位シート毎に断裁する断裁工程、断裁された単位シートを一体化する一体化工程とからなる情報通信体の製造方法において、前記別駆動で稼動している被覆工程側と折り畳み工程側の間に請求項１に記載のフィルムシートが被覆された長尺シートの搬送手段による搬送工程が配置されたことを特徴とした情報通信体の製造方法。
【請求項３】
切除工程が任意の工程間に配置されたことを特徴とした請求項２の情報通信体の製造方法。
【発明の詳細な説明】
【技術分野】
【０００１】  本発明はビジネスフォーム印刷等のマージナル部分を有する長尺シートを使用した印刷物の、後加工に使用するオートフィーダーやインタースタッカー等を使用した長尺シートの搬送手段に関する。また前記搬送手段を使用した、複数の葉片が剥離可能に折り畳まれ或いは切り重ねられた情報通信体の製造方法に関する。
【背景技術】
【０００２】  従来、印刷が施された長尺状シートの少なくとも一方の面にフィルムシートを被覆しながら後加工へ搬送する例として、例えば特開２０１１−２４０６９６号公報の「情報通信体の製造方法」がある。このものは、マージナル部分を有する長尺状シートをその表面に疑似接着性ラミネート用フィルムシートを被覆した後に、連続的に折り畳み、断裁した後に剥離可能に一体化する工程へと搬送して情報通信体を製造するものである。
【先行技術文献】
【０００３】
【特許文献１】特開２０１１−２４０６９６号公報
【発明の概要】
【発明が解決しようとする課題】
【０００４】  前記特許文献では、長尺状シートを連続的に一貫して最終再品に仕上げることが可能なため極めて至便である。然るにフィルムシートが被覆された用紙類は材質が異なるものを貼り合わせているため必ずカールが発生する。長尺状シートを流れ方向に沿って連続的にフィルムシートを被覆する場合、全体としてかまぼこ状のまま下流の工程を通過することになる。また、長尺状シートの表裏面の異なる位置にスポット的に被覆した場合には極めて複雑なカールを発生する。このようなカールは下流の工程で支障を引き起こし皺入りや破断或いは搬送経路のずれ等による不良製品発生の大きな原因となる。【０００５】  本発明は、上記問題に鑑み、表裏面にフィルムシートが被覆されカールした長尺状シートでも安定して下流の工程へ送り出すことができ、従って皺入りや破断による歩留まりを軽減すると共に安定して最終製品まで加工することのできる、フィルムシートが被覆された長尺状シートの搬送手段及びそれを用いた情報通信体の製造方法を提供するものである。
【課題を解決するための手段】
【０００６】  上記目的を達成するために、本発明のフィルムシートが被覆された長尺状シートの搬送手段は、少なくとも一方の面にフィルムシートが連続的に被覆された長尺状シートの搬送手段であって、ラミネート装置から繰り出される長尺状シートにウエイトによる張力を掛けながら前記ラミネート装置側と別駆動により稼動している下流側の加工工程へ搬送することを特徴としている。【０００７】  また、上記目的を達成するために、本発明の情報通信体の製造方法は、折り線或いは切り取り線を介して横方向に連接された単位シートが切り取り線を介して縦方向に連接された長尺シートを繰り出す繰り出し工程、繰り出された長尺シートの疑似接着予定面及び／又は完全接着予定面に任意のフィルムシートを被覆する被覆工程、任意のフィルムシートが被覆された長尺状シートを折り畳む折り畳み工程、折り畳まれた長尺状シートを単位シート毎に断裁する断裁工程、断裁された単位シートを一体化する一体化工程とからなる情報通信体の製造方法において、前記別駆動で稼動している被覆工程側と折り畳み工程側の間に前記長尺シートの搬送手段による搬送工程が配置されたことを特徴としている。【０００８】  なお、前記製造方法において、長尺状シートのマージナル部分を切除する切除工程を任意の工程或いは工程間に配置しても構わない。また前記切除工程は複数の工程或いは工程間に配置することもできる。
【発明の効果】
【０００９】  本発明のフィルムシートが被覆された長尺状シートの搬送手段は、搬送途上において常にカール状態の長尺状シートに適度の張力を与えるため、カールにより発生する皺入りや破断による歩留まりを軽減すると共に安定して最終製品まで加工することが可能になる。【００１０】  また、前記搬送手段による搬送工程を配置した情報通信体の製造方法では、カールした長尺シートに適度の張力を与えて各種工程へ搬送するため、カールにより発生する皺入りや破断による歩留まりを軽減すると共に安定して最終製品にまで加工することが可能になる。
【図面の簡単な説明】
【００１１】
【図１】長尺状シートＳ１の表面図である。
【図２】長尺状シートＳ１の裏面図である。
【図３】ラミネート装置により両面にフィルムシートＦが被覆された状態の長尺状シートＳ１の断面図である。
【図４】フィルムシートを被覆した長尺状シートのカール状態を示す断面図である。
【図５】ラミネート装置を通過した長尺状フィルムシートＳ１を下流の別駆動の工程へ張力を掛けてカールを取り除いた状態で繰り出す方法を説明する要部概略図である。
【図６】（Ａ）及び（Ｂ）は長尺状シートＳ２の表面図及び裏面図である。
【図７】長尺状シートＳ２を使用して情報通信体を製造する際のラミネート側及び本発明に掛かる搬送手段を説明する要部概略図である。
【図８】長尺状シートＳ２の疑似接着予定面に疑似接着フィルムシートＧが被覆された状態を示す部分平面図である。
【図９】本発明のフィルムシートが被覆された長尺状シートの搬送手段の一例の要部概略図である。
【図１０】折り畳み工程以下を示す要部概略図である。
【図１１】完成した情報通信体（葉書）の断面図である。
【発明を実施するための形態】
【００１２】［実施例１：フィルムシートが被覆された長尺状シートの搬送手段］
以下本発明の実施の形態を図面に基づいて具体的に説明する。
図１は本発明のフィルムシートが被覆された長尺状シートの搬送手段に用いられる長尺状シートＳ１である。前記長尺状シートＳ１は両外側に貫通したマージナル穴１が設けられている。そして必要に応じて切取線及び／又は折り線２、３等により搬送方向に沿って区分され、或いは切取線及び／又は折り線４、５等により単位シート毎に区分されている。本実施例では折り線２及び３により３区分された長尺状シートＳで説明する。
【００１３】  例えば図２及び図３に示すように、長尺状シートＳ１の第一紙片６及び第二紙片７の表面側に、第二紙片７及び第三紙片８の裏面側にそれぞれフィルムシートＦが連続的に被覆された場合、被覆に際して加熱されたフィルムシートＦと各紙片の伸びが異なるために、必ずフィルムシートＦを被覆した側へカールする。従って図４に示すような複雑なカール状態を呈するようになるのである。このような状態で長尺状シートＳが連続的に繰り出されると、本来自然に搬送することが可能であるにも関わらず、カールにより長尺状シートＳにしなやかさ、柔軟性がなくかり、従って搬送経路から逸脱する等の現象を起こし下流の加工工程への供給が不可能になる。
【００１４】  このようなカールの影響を大きく受ける被覆された長尺状シートＳは、常に張力を与えながら下流の工程へ送り出せば、前記支障は解決されて最後まで各工程をスムーズに完了することができる。その方法として図５に示すように、被覆されて繰り出される長尺状シートＳ１をニップローラ１３ａ、１３ｂとサポートローラ１６の間に設けたダンサーローラ１５で受け、それにより張力を与えながら下流の加工工程へ送り出すのである。
【００１５】  前記ダンサーローラ１５は上下に移動可能で、通過する長尺状シートＳ１と共に予め設定された一定の高さ（例えばセンサー１４の高さ）より高くなると上流側の加工工程の速度を速め、また逆に前記一定の高さ（例えばセンサー１４の高さ）よりも低くなると一定の速度或いは速度を遅くするように設定されている。
【００１６】  このように下流の加工工程との速度差をダンサーローラ等のウエイトにより吸収して、さらに長尺状シートＳ１のカールを取り除きながら繰り出すことができる。なお、本実施例ではダンサーローラと光電センサーの組み合わせにより長尺状シートＳ１の繰り出し速度を調整しているが後述する実施例に記載されるように他の方法で調整しても構わない。
【００１７】［実施例２：情報通信体の製造方法］
次に既述の搬送方法を使用した情報通信体の製造方法を説明する。
図６（Ａ）に示すように、本実施例で使用する長尺状シートＳ２は、第一紙片２１、第二紙片２２及び第三紙片２３が折り線２４及び２５を介して横方向に連接された単位シートｔが、切取線２６を介して縦方向に連接されており、第一紙片２１及び第三紙片２３の外側にはそれぞれ切取線２７を介してマージナル孔２８が設けられたマージナル部分２９が連接されている。
【００１８】  第一紙片２１表面には郵便切手欄、郵便番号欄及び受取人の住所氏名等が記載され、そして第二紙片２２及び第三紙片２３表面には受取人に関する個人情報３０が記載されている。なお前記個人情報３０は必ずしも個人的な情報のみが記載されている必要はなく、例えば宣伝広告等の一般情報や、前記一般情報と個人的な情報とが混在する形態でも構わない。
【００１９】  情報通信体として完成後に表出する第三紙片２３裏面には宣伝広告等の一般情報３１が記載され、完成後に隠蔽される第二紙片２２及び第一紙片２１裏面には個人情報３０等が記載される。なお本実施例の情報通信体は、断面Ｚ字状に折り畳まれた形態で、業界においてＺ６面オープンと称される通常葉書である。この葉書の場合、例えば完成後に第二紙片２２の折り線２５に沿った縁辺が表出するように設計されており、表出部分に「郵便葉書」やそれに準じる文言が記載されている。
【００２０】  既述のように構成された長尺状シートＳ２は、例えば切取線２６から蛇腹に折り畳まれてブロック状態で工程最上流の左下に設置される。そして最上面の単位シートｔから順次上方のサポートローラ４０へ引き上げられほぼ水平に向きを変えると右側に配置されたピントラクタ４１のピンとマージナル孔２８とを合致させてさらに右側へ繰り出されるのである。
【００２１】  前記ピントラクタ４１の右側には一対のヒートローラ４２ａ、４２ｂからなるラミネート装置が配置されている。そして前記ラミネート装置の上下方に待機しているロールから疑似接着フィルムシートＧが繰り出されると、一対のヒートローラ４２ａ、４２ｂにおいて図８に示すように、長尺状シートＳ２の疑似接着予定面（第二紙片２２及び第三紙片２３の表面と第二紙片２２及び第一紙片の裏面）に整合されて剥離不能に被覆される。
【００２２】  疑似接着フィルムシートＧは、例えばポリエチレンテレフタレートやポリプロピレン等の比較的弾性のある基材の一方の面に、公知の感熱接着剤層を形成すると共に残るもう一方の面に疑似接着剤層を形成したものであり、長尺状シートＳ２の疑似接着予定面に前記感熱接着剤層を介して剥離不能に被覆した後に疑似接着層同士が対向するように折り畳み、その後加熱・加圧処理を施すことにより剥離可能に接着するものである。
【００２３】  疑似接着フィルムシートＧが被覆された長尺状シートＳ２は右側に配置されたニップローラ４３ａ、４３ｂによりさらに下流へ送り出される。なお、前記一対のヒートローラ４２ａ、４２ｂとニップローラ４３ａ、４３ｂの間にスリッタ等の切除装置やミシン装置を配置して、マージナル部分２９を切除したり折り線２４、２５にミシンを形成しても構わない。
【００２４】  ニップローラ４３ａ、４３ｂから繰り出された長尺状シートＳ２は第一のダンサーローラ４５を通過してサポートローラ４６、ピントラクタ４７、サポートローラ４８及び第二のダンサーローラ５０の順に通過してさらに右側に配置された加工工程へ送り出される。前記第一及び第二のダンサーローラ４５及び５０は上下に移動可能で、通過する長尺状シートＳ２と共に予め設定された一定の高さより高くなると上流側の加工工程及びピントラクタ４７の速度を速め、また逆に前記一定の高さよりも低い場合には一定の速度或いは速度を遅くするように、センサー４４、４９により設定されている。これによりニップローラ４３ａ、４３ｂとサポートローラ４６の間及びサポートローラ４８、５１間で長尺状シートＳ２に張力が掛けられてカールが取り除かれる。
【００２５】  なお、前記サポートローラ４６、４８の間の任意の箇所にスリッタ等の切除装置やミシン装置を配置して、マージナル部分２９を切除したり折り線２４、２５にミシンを形成しても構わない。
【００２６】  フィルムシートが被覆された長尺状シートの搬送手段として前記ダンサーローラと光電センサーの組み合わせの他に、図９に示すように、ダンサーローラとポテンシャルメータの組み合わせがある。これは支点から伸びた先にダンサーローラ６５を取り付け、支点６７に設けたギアに隣接したポテンシャルメータ６８でピントラクタ６３の速度を調整し、長尺状シートＳ２の繰り出し速度を調整する方法である。アーム６９の傾きにより支点６７に設けられたギアが回転してポテンシャルメータ６７を回転させるとその回転角度により速度が変化する仕組みである。
【００２７】  前記ポテンシャルメータを使用する場合、上流側のダンサーローラは支点６６を中心にフリーに回転する状態にしておいて、ラミネート装置側から排出される被覆長尺シートＳ２の速度を既述の光電センサーにより調整するようにしておけば、常時張力を掛けた状態に保つことができる。このようにしてラミネート装置側から繰り出される長尺状シートと折り畳み装置へ送り出す長尺状シート（ラミネート装置側と折り畳み装置側は別駆動により稼動している）の張力を同時に調整することができる。
【００２８】  前記折り畳み装置７１では長尺状シートＳ２の折り線２４、２５で折りくせを付けながら断面Ｚ字状に折り畳まれ、サポートローラ７２でほぼ水平に向きを変えると、右側に配置されているピントラクタ７３によりさらに下流へと搬送される。
【００２９】  そして前記ピントラクタ７３の下流に配置されたスリッタ７４ａ、７４ｂにより全てのマージナル部分を切除された長尺状シートＳ２は、さらに右側に配置されているダイカットローラ７５ａとバックアップローラ７５ｂの組み合わせからなる断裁装置により、天地方向の切取線２６から断裁されて単位シートｔ毎に仕上げられて右側に配置された一体化装置へ搬送される。
【００３０】  一体化装置は図１０に示すように、一対の搬送ローラ７６ａ、７６ｂと一対のヒータパネル７７ａ、７７ｂが交互に配置されており、断裁された単位シートｔはヒータパネルに加熱されつつ移動して最終的に加圧ローラ７８ａ、７８ｂから排出され、ベルトコンベア等からなるスタッカ７９に積載される。前記一体化装置を通過した単位シートｔは、一体化装置内での加熱・加圧処理により折り畳まれて対向する疑似接着フィルムシートＧ同士が剥離可能に接着され全体として一体化されるのである。
【００３１】  既述のように製造された情報通信体は、図１１に示すように断面Ｚ字状に折り畳まれた形態でこのまま投函され郵送される。そしてこの葉書の受取人は疑似接着層からそれぞれの紙片を剥離して、内部に隠蔽された個人情報３０等を透明な疑似接着フィルムシートＧを透して視認することができるのである。
【００３２】  なお本発明は上記実施例に制限されるものではない。
例えば前記実施例２では、一体化工程で加熱・加圧処理を施しているが、加圧処理のみで疑似接着する媒体を使用することも可能である。この場合加熱処理機構を省くことができるのでコスト的にも有利である。
【符号の説明】
【００３３】    Ｓ１、Ｓ２  長尺状シート
ｔ  単位シート
Ｆ  フィルムシート
Ｇ  疑似接着フィルムシート
１  マージナル孔
２、３、４、５  切取線及び／又は折り線
６、７、８、２１、２２、２３  紙片
１０、１６、４０、４６、４８、５１、６２、６４、７０、７２  サポートローラ
１１、４１、４７、６３、７３  ピントラクタ
１２ａ、１２ｂ  ヒートローラ
１３ａ、１３ｂ、４３ａ、４３ｂ  ニップローラ
１４、４４、４９  光電センサー
４５、５０、６１、６５  ダンサーローラ
６６、６７  支点
６８  ポテンションメータ
６９  アーム
７１  折り畳み装置
７４ａ、７４ｂ  スリッタ
７５ａ  ダイカットローラ
７５ｂ  バックアップローラ
７６ａ、７６ｂ  搬送ローラ
７７ａ、７７ｂ  ヒータパネル
７８ａ、７８ｂ  加圧ローラ
７９  スタッカ
【図１】
2014015036.tif 000003
【図２】
2014015036.tif 000004
【図３】
2014015036.tif 000005
【図４】
2014015036.tif 000006
【図５】
2014015036.tif 000007
【図６】
2014015036.tif 000008
【図７】
2014015036.tif 000009
【図８】
2014015036.tif 000010
【図９】
2014015036.tif 000011
【図１０】
2014015036.tif 000012
【図１１】
2014015036.tif 000013